(57)【要約】      （修正有）【課題】保冷材その他の備品を収容保持するポケットを備えた把手付包装容器を提供する。【解決手段】平面視でコーナー角を有する正方形又は長方形の底板２と、該底板２の外周の各辺に互いに隣接して折曲起立可能に連設された周壁３ａ，３ｂ，４ａ，４ｂと、周壁同士を連結して起立状態を保持する連結部と、該周壁のうちの１つである後壁３ｂに連設された蓋を構成する天板６とからなり、該天板６上面には把手７が設けられるとともに天板６前端には係止用のカバーフラップ１１が折曲可能に連設され、上記後壁３ｂに隣接する他の周壁４ａ，４ｂ上端には天板６を受止めて支える当接フラップ２７が折曲可能に連設された把手付包装容器１において、カバーフラップ１１と上記周壁のうちの１つである前壁３ａ上端側のいずれか一方に正面視Ｔ字型又はフック型の係止爪１４を、他方に係止爪１４の差込部１６を屈曲又は湾曲させて横方向より差込む係止孔１２を設けてなる。【選択図】図２
0003143810.tif 000002
【実用新案登録請求の範囲】
【請求項１】
平面視でコーナー角を有する正方形又は長方形の底板（２）と、該底板（２）の外周の各辺に互いに隣接して折曲起立可能に連設された周壁（３ａ），（３ｂ），（４ａ），（４ｂ）と、周壁（３ａ），（３ｂ），（４ａ），（４ｂ）同士を連結して起立状態を保持する連結部と、該周壁（３ａ），（３ｂ），（４ａ），（４ｂ）のうちの１つである後壁（３ｂ）に連設された蓋を構成する天板（６）とからなり、該天板（６）上面には把手（７）が設けられるとともに天板（６）前端には係止用のカバーフラップ（１１）が折曲可能に連設され、上記後壁（３ｂ）に隣接する他の周壁（４ａ），（４ｂ）上端には天板（６）を受止めて支える当接フラップ（２７）が折曲可能に連設された把手付包装容器（１）において、カバーフラップ（１１）と上記周壁（３ａ），（３ｂ），（４ａ），（４ｂ）のうちの１つである前壁（３ａ）上端側のいずれか一方に正面視Ｔ字型又はフック型の係止爪（１４）を、他方に係止爪（１４）の差込部（１６）を屈曲又は湾曲させて横方向より差込む係止孔（１２）を設けてなる把手付包装容器。
【請求項２】
カバーフラップ（１１）を前壁（３ａ）と係止爪（１４）間に挿入して、係止爪（１４）の差込部（１６）を係止孔（１２）に対して差込み係止した閉蓋状態において、係止爪（１４）を係止孔（１２）より引抜き解除するために押込み揺動させて係止爪（１４）を爪掛けする操作孔（１３）をカバーフラップ（１１）に形成した請求項１の把手付包装容器。
【請求項３】
連結部が隣接する周壁（３ａ），（３ｂ），（４ａ），（４ｂ）同士を係止固定して連結する係止フラップ（２３ａ），（２３ｂ）である請求項１又は２の把手付包装容器。
【請求項４】
連結部が展開状態において底板（２）のコーナー部より斜め外側に向って延びる折目（４１）を介して各隣接周壁（３ａ），（３ｂ），（４ａ），（４ｂ）を連結するひだ状の連結片（４２ａ），（４２ｂ）である請求項１又は２の把手付包装容器。
【請求項５】
周壁（３ａ），（３ｂ），（４ａ），（４ｂ）の側端に内面側に折り曲げることにより周壁（３ａ），（３ｂ），（４ａ），（４ｂ）の内面側に保冷材（６１）その他の備品を収容して保持するポケット（２８），（３３）を形成する補助フラップ（１８），（２１）を連設し、該補助フラップ（１８），（２１）の自由端に補助フラップ（１８），（２１）を周壁（３ａ），（３ｂ），（４ａ），（４ｂ）側に固定する固定手段を設けてなる請求項１，２，３又は４の把手付包装容器。
【請求項６】
補助フラップ（１８），（２１）の固定手段が、補助フラップ（１８），（２１）の自由端に折曲可能に連設され、係止フラップ（２３ａ），（２３ｂ）に形成された係止孔（２７）に挿入して係止固定する差込片（１９）よりなる請求項５の把手付包装容器。
【請求項７】
補助フラップ（１８），（２１）の固定手段が、補助フラップ（１８），（２１）の自由端に連設され、連結片（４２ａ），（４２ｂ）に接着固定する接着フラップ（４８）よりなる請求項５の把手付包装容器。
【請求項８】
補助フラップ（１８），（２１）に包装容器（１）内部との通気を可能にする通気孔（２９），（３６）を形成した請求項１，２，３，４，５，６又は７の包装箱における補助収容部構造。
【請求項９】
相対向し合う周壁（４ａ），（４ｂ）の一方の周壁（４ａ）の一端に連設した第一補助フラップ（１８）と、他方の周壁（４ｂ）の相対向する端部側に連設した第二補助フラップと（２１）により、一対の補助フラップを構成し、第一補助フラップ（１８）を一方の周壁（４ａ）の内面側に折返して一方の周壁（４ａ）との間に第一ポケット（２８）を形成する第一パターンと、第一補助フラップ（１８）と第二補助フラップ（２１）とを、上記相対向し合う２つの周壁（４ａ），（４ｂ）間で互に重なり合って起立するように内側に折曲げて上記周壁（４ａ），（４ｂ）間に介在するその他の周壁（３ｂ）内面に第二ポケット（３３）を形成する第二パターンとを選択可能に構成した請求項１の把手付包装容器。
【請求項１０】
第一補助フラップ（１８）及び第二補助フラップ（２１）をアングル状に折曲げて重ね合わせた際に、第一補助フラップ（１８）自由端の差込片（１９）を挿入して係止固定する係止孔（３４）を第二補助フラップ（２１）に形成してなる請求項９の把手付包装容器。
【請求項１１】
第二補助フラップ（２１）を内側に平面視アングル状に折曲げた際に、第二補助フラップ（２１）先端に形成されたフック部（２２）と係合する切欠部（３１）を第一補助フラップ（１８）の連設端上端に形成してなる請求項９又は１０の把手付包装容器。
【考案の詳細な説明】
【技術分野】
【０００１】
この考案はケーキ等の内容物を損傷させることなく保冷材その他の備品を収容保持するポケットを備えた把手付包装容器に関する。
【背景技術】
【０００２】
従来、特許文献１に示すように、天板を兼ねた把手付開閉蓋の開閉端（正面）と左右両側にのり付け固定した周壁を設け、箱本体の後壁と左右側壁とをのり付け固定して共に折り重ね可能に構成している。
【特許文献１】登録実用新案３１３２８３９号公報
【考案の開示】
【考案が解決しようとする課題】
【０００３】
しかし上記従来の包装容器は、現場での組立が容易であるものの、蓋と本体を共にのり付けしているためコスト高となるほか、組立時において本体と蓋の両側に斜め方向の折目が表れるので外観が損われ高級菓子には好まれ（適さ）ないという問題がある。
【０００４】
また開閉蓋と本体前壁を閉状態で係止する係止爪が単に折曲挿入するのみなので、把手を持った時の固定力が弱く、蓋の開閉端が外れ易い。このためテープやシールを貼り付けて固定する必要があり、貼付けが不十分なために持運び中に開蓋するトラブルがあった。
この考案は、これらの課題を解決又は改善し、ケーキ等の内容物を損傷させることなく保冷材その他の備品を収容保持するポケットを備えた把手付包装容器を提供することを目的とする。
【課題を解決するための手段】
【０００５】
上記課題を解決するための本考案は、第１に、平面視でコーナー角を有する正方形又は長方形の底板２と、該底板２の外周の各辺に互いに隣接して折曲起立可能に連設された周壁３ａ，３ｂ，４ａ，４ｂと、周壁３ａ，３ｂ，４ａ，４ｂ同士を連結して起立状態を保持する連結部と、該周壁３ａ，３ｂ，４ａ，４ｂのうちの１つである後壁３ｂに連設された蓋を構成する天板６とからなり、該天板６上面には把手７が設けられるとともに天板６前端には係止用のカバーフラップ１１が折曲可能に連設され、上記後壁３ｂに隣接する他の周壁４ａ，４ｂ上端には天板６を受止めて支える当接フラップ２７が折曲可能に連設された把手付包装容器１において、カバーフラップ１１と上記周壁３ａ，３ｂ，４ａ，４ｂのうちの１つである前壁３ａ上端側のいずれか一方に正面視Ｔ字型又はフック型の係止爪１４を、他方に係止爪１４の差込部１６を屈曲又は湾曲させて横方向より差込む係止孔１２を設けてなることを特徴としている。
【０００６】
第２に、カバーフラップ１１を前壁３ａと係止爪１４間に挿入して、係止爪１４の差込部１６を係止孔１２に対して差込み係止した閉蓋状態において、係止爪１４を係止孔１２より引抜き解除するために押込み揺動させて係止爪１４を爪掛けする操作孔１３をカバーフラップ１１に形成したことを特徴としている。
【０００７】
第３に、連結部が隣接する周壁３ａ，３ｂ，４ａ，４ｂ同士を係止固定して連結する係止フラップ２３ａ，２３ｂであることを特徴としている。
【０００８】
第４に、連結部が展開状態において底板２のコーナー部より斜め外側に向って延びる折目４１を介して各隣接周壁３ａ，３ｂ，４ａ，４ｂを連結するひだ状の連結片４２ａ，４２ｂであることを特徴としている。
【０００９】
第５に、周壁３ａ，３ｂ，４ａ，４ｂの側端に内面側に折り曲げることにより周壁３ａ，３ｂ，４ａ，４ｂの内面側に保冷材６１その他の備品を収容して保持するポケット２８，３３を形成する補助フラップ１８，２１を連設し、該補助フラップ１８，２１の自由端に補助フラップ１８，２１を周壁３ａ，３ｂ，４ａ，４ｂ側に固定する固定手段を設けてなることを特徴としている。
【００１０】
第６に、補助フラップ１８，２１の固定手段が、補助フラップ１８，２１の自由端に折曲可能に連設され、係止フラップ２３ａ，２３ｂに形成された係止孔２７に挿入して係止固定する差込片１９よりなることを特徴としている。
【００１１】
第７に、補助フラップ１８，２１の固定手段が、補助フラップ１８，２１の自由端に連設され、連結片４２ａ，４２ｂに接着固定する接着フラップ４８よりなることを特徴としている。
【００１２】
第８に、補助フラップ１８，２１に包装容器１内部との通気を可能にする通気孔２９，３６を形成したことを特徴としている。
【００１３】
第９に、相対向し合う周壁４ａ，４ｂの一方の周壁４ａの一端に連設した第一補助フラップ１８と、他方の周壁４ｂの相対向する端部側に連設した第二補助フラップと２１により、一対の補助フラップを構成し、第一補助フラップ１８を一方の周壁４ａの内面側に折返して一方の周壁４ａとの間に第一ポケット２８を形成する第一パターンと、第一補助フラップ１８と第二補助フラップ２１とを、上記相対向し合う２つの周壁４ａ，４ｂ間で互に重なり合って起立するように内側に折曲げて上記周壁４ａ，４ｂ間に介在するその他の周壁３ｂ内面に第二ポケット３３を形成する第二パターンとを選択可能に構成したことを特徴としている。
【００１４】
第１０に、第一補助フラップ１８及び第二補助フラップ２１をアングル状に折曲げて重ね合わせた際に、第一補助フラップ１８自由端の差込片１９を挿入して係止固定する係止孔３４を第二補助フラップ２１に形成してなることを特徴としている。
【００１５】
第１１に、第二補助フラップ２１を内側に平面視アングル状に折曲げた際に、第二補助フラップ２１先端に形成されたフック部２２と係合する切欠部３１を第一補助フラップ１８の連設端上端に形成してなることを特徴としている。
【考案の効果】
【００１６】
以上の如く構成される本考案の把手付包装容器によれば、以下に示すような効果を奏するものである。
（１）糊付け加工がなくても箱組みが可能であるのでコストを抑えることができるほか、箱組み後において本体と蓋の側面に斜め方向の折目が表れることがないので、見栄えが良く高級菓子には好まれ（適す）るという利点がある。
【００１７】
（２）蓋と前壁を閉状態で確実に係止固定する係止爪と係止孔を設けたので、把手を持った時の固定力が強く、蓋の開閉端が外れ難い。このためテープやシールを貼り付けて固定することなく持運びできるという利点がある。
【００１８】
（３）補助フラップを周壁内面側に折返して、周壁側に固定する固定手段を設けたことによって補助フラップを確実に固定できるので、外れた補助フラップによってケーキ等の内容物を損傷させることがない。
【００１９】
（４）一方の補助フラップを周壁内面側に折返して周壁内面側にポケットを形成するとともに、対向する周壁に連設された他方の補助フラップをアングル状に折り曲げて係止固定することによって、補助フラップを隣接周壁の内面側に設けて、塵等の侵入防止用の内周壁とすることができる。
【００２０】
（５）相対向し合う周壁間で相対向する端部側に連設された補助フラップ同士を内側にアングル状に折り曲げて重ね合わせることによって、重なり合った補助フラップ間にポケットを形成することができる。
【００２１】
（６）重ね合わされた補助フラップ同士を固定することにより、ポケットに備品を収容しても、係止固定した両フラップが外れることがないので、フラップのふらつきによりケーキ等の内容物の損傷を防止できる。
【００２２】
（７）補助フラップには通気孔を設けたので、ポケットに保冷材を収容した際に冷気を包装容器内に十分に行き渡らせることができる。
【考案を実施するための最良の形態】
【００２３】
以下本考案の第１実施例を図１〜図７に基づき説明する。図１は箱組み後の斜視図，図２は箱の組立途中を示す斜視図，図３は内面展開図を示している。
【００２４】
包装容器１は、底板２に対して周壁として前後壁３ａ，３ｂと左右側壁４ａ，４ｂが折曲げ起伏可能に連設されている。後壁３ｂの上端には包装容器１の蓋を構成する天板６が折曲可能に連設され、該天板６の上面には把手７が起立可能に設けられるとともに、天板６の裏面側には樹脂製等のカバー８を接着固定することによって、把手７の形成によって切残し形成された孔９から塵や埃等の侵入を防止している。また前記カバー８を透明又は半透明の樹脂製とすることによって、前記孔９はケーキ等の内容物を外から確認できる窓としても利用できる。
【００２５】
天板６の自由端には係止用のカバーフラップ１１が折曲可能に連設され、該カバーフラップ１１の略中央に正面視略ハ字型の係止孔１２が形成され、該係止孔１２の上方の略中央に操作孔１３が形成されている。前壁３ａの略中央の上端側には正面視Ｔ字型の係止爪１４が設けられ、該係止爪１４の差込部１６を屈曲又は湾曲させて上記係止孔１２に横方向より差込むことによって蓋を係止固定する構成となっている。また係止爪１４の差込部１６はフック状（かぎ状）に形成することもできる。
【００２６】
上記係止固定方法によって把手７を持った際に、係止爪１４の差込部１６の連設端の下端側と係止孔１２の下端部とが係合状態となるので、把手７を持った際の蓋の固定力を高めることができる。よって確実に蓋を固定することができるので把手７を持って包装容器１を運んだとしても蓋が外れてケーキ等の内容物を落下させることがないという利点がある。
【００２７】
左側壁４ａの後端には縁部１７を介して第一補助フラップ１８（補助フラップ）が連設され、該第一補助フラップ１８の自由端には第一補助フラップの固定手段として差込片１９が連設されている。右側壁４ｂの後端には第二補助フラップ２１が連設され、該第二補助フラップ２１の先端にはフック部２２が形成されている。
【００２８】
左右側壁４ａ，４ｂの前端には前壁３ａと連結することによって、前壁３ａと左右側壁４ａ，４ｂの起立を保持する係止フラップ２３ａ，２３ｂ（連結部）がそれぞれ連設され、該係止フラップ２３ａ，２３ｂの折曲端の上端側には係止孔２４が形成されている。また前壁３ａの左右上端には前記係止孔２４に挿入して係止固定する切欠部２６が設けられている。
【００２９】
左右側壁４ａ，４ｂの上端には、箱組み時に内側にアングル状（水平方向）に折り曲げることによって、天板６を受け止めて保持する当接フラップ２７が折曲げ可能に連設されている。該当接フラップ２７を設けることによって、天板６の包装容器内への落ち込みを防止することができるほか、側壁上部からの塵等の侵入を防ぐことができる。
【００３０】
次に本包装容器１の組立方法及び第一ポケットを形成する第一パターンについて説明する。まず前壁３ａ及び左右側壁４ａ，４ｂを底板２に対して起立方向に折り曲げる。左右側壁４ａ，４ｂ前端に連設された係止フラップ２３ａ，２３ｂを内側にアングル状に折り曲げて、前壁３ａの左右上端に形成された切欠部２６を係止フラップ２３ａ，２３ｂの係止孔２４に挿入して係止固定する。この係止フラップ２３ａ，２３ｂによって前壁３ａ及び左右側壁４ａ，４ｂの起立を保持する構成となっている。
【００３１】
左側壁４ａの後端に連設された第一補助フラップ１８を縁部１７を介して左側壁４ａ内面側に左側壁４ａと平面視で平行となるように図４のａ1方向に折り曲げる（図４，５参照）。第一補助フラップ１８自由端の差込片１９を係止フラップ２３ａに形成された係止孔２７に挿入して係止固定する。そして左側壁４ａと第一補助フラップ１８との間に保冷材６１その他の備品を収容する第一ポケット２８を形成する。
【００３２】
上述のように形成された第一ポケット２８に保冷材６１等を収容し、包装容器１の後方（後壁３ｂ側）よりケーキ等を底板２上に載置する。第一補助フラップ１８には包装容器１内に通じる通気孔２９が形成されているので、第一ポケット２８に収容された保冷材６１から発生した冷気が包装容器１内に行き渡る構成となっている。ちなみにケーキ等は第二補助フラップ２１をアングル状に固定した後に、上方より底板２上に載置することもできる。
【００３３】
次に右側壁４ｂの後端に連設された第二補助フラップ２１を内側にアングル状に図４のａ2方向に折り曲げて、第二補助フラップ２１の自由端のフック部２２を縁部１７と第一補助フラップ１８との折目の上端に形成された切欠部３１に係止して第二補助フラップ２１のアングル状態を保持する。このとき第二補助フラップ２１の自由端の下方側（底板側）に突出部３２を設けて、該突出部３２を縁部１７に当接させることによって第二補助フラップ２１の包装容器１内への入り込みを防ぐことができる。さらに後壁４ｂ内面側に内壁を形成することができるので、後壁４ｂと左右側壁３ａ，３ｂ間の隙間からの塵等の侵入を防止することができる。
【００３４】
左右側壁４ａ，４ｂの上端の当接フラップ２７を内側にアングル状に折り曲げて、後壁３ｂを起立方向に折り曲げるとともに、天板６を水平方向に折り曲げて、当接フラップ２７で受け止める。そして図１に示すように前壁３ａに設けられた正面視略Ｔ字型の係止爪１４の差込部１６を屈曲又は湾曲させてカバーフラップ１１に形成された係止孔１２に横方向より差込むことによって、カバーフラップ１１（蓋）を固定して箱組みを完成させる。
【００３５】
閉蓋状態ではカバーフラップ１１は係止爪１４と前壁３ａとの間に差し込まれ、係止爪１４の差込部１６が係止孔１２に挿入係止されている。その閉蓋状態から係止爪１４の係合を解除するには、操作孔１３に指先等を包装容器の内側に向かって押込む。このとき操作孔１３の下端と係止爪１４との上端間に僅かな隙間ができるので、爪又は指先の腹部分を係止爪１４の上端に掛けて係止爪１４を外側に揺動させ、係止爪１４の差込部１６を引抜き係合解除して蓋を開けてケーキ等の内容物を取出す。
【００３６】
また図６，７に基づき、第二ポケット３３を形成する第二パターンについて説明する。前壁３ａ及び左右側壁４ａ，４ｂを起立状態に保持した後、右側壁４ｂ後端の第二補助フラップ２１を内側にアングル状に折り曲げて、フック部２２を切欠部３１に係止して平面視でアングル状に保持する。
【００３７】
第一補助フラップ１８をアングル状態の第二補助フラップ２１に重ね合うように内側にアングル状に図６のｂ方向に折り曲げる。第一補助フラップ１８自由端の差込片１９を第二補助フラップ２１に形成された係止孔３４に挿入し係止固定することによって、第一補助フラップ１８と第二補助フラップ２１間に第二ポケット３３を形成する。第二補助フラップ２１にも通気孔３６が形成されているので、第二ポケット３３に保冷材６１を収容した場合も、冷気を包装容器１内に行き渡らせることができる。
【００３８】
次に図面に基づき第２実施例について説明する。共通する部品については同じ番号を使用し、主として異なる構成についてのみ説明し、共通する構成については説明を省略する。
【００３９】
図８は第２実施例を示すものであり、左右側壁４ａ，４ｂと前壁３ａとを連結する連結部が、底板２のコーナー部より斜め外側に向って延びる山線の中央の折目４１を介して折曲げ可能に形成されたひだ状の連結片４２となっている。前記連結片４２は、折目４１を介して前壁３ａ側を固定部４３とし、左右側壁４ａ，４ｂ側を可動部４４とする。
【００４０】
連結片４２の中央の折目４１より前壁３ａ側に折目４６を形成して折目４１と折目４６間に可動ひだ４７を形成している。この可動ひだ４７を設けることによって左右側壁４ａ，４ｂ及び連結片４２を外側に拡開できるので前壁３ａの切欠部２６を連結片４２の係止孔２４に差込む際の湾曲度合いを少なくできるという利点がある。
【００４１】
また第一補助フラップ１８自由端に折曲可能に連設された接着フラップ４８の接着代４９ａを連結片４２の可動部４４の接着代４９ｂに予め接着固定するとともに、連結片４２の固定部４３の接着代５１ａを前壁３ａの接着代５１ｂに予め接着固定し、底板２上に左右側壁４ａ，４ｂが重なるように、連結片４２の折目４１を介して折り畳んで平板状にして保存する。
【００４２】
組み立てる際は左右側壁４ａ，４ｂを起立方向に持ち上げる。そして左右側壁４ａ，４ｂの起立に連動して連結片４２及び前壁３ａが起立させられ、前壁３ａの切欠部２６を連結片４２の係止孔２４に挿入して前壁３ａと左右側壁４ａ，４ｂの起立を保持することによって自動的に第一ポケット２８が形成される。この例では上記の第一実施例とは異なり形成されるポケットは第一ポケット２８のみである。
【００４３】
第二補助フラップ２１を内側にアングル状に折り曲げてフック部２２を切欠部３１に係止して、第二補助フラップ２１のアングル状態を保持し後壁３ｂの内壁を構成する。そして水平方向にアングル状に折り曲げられた当接フラップ２７で天板６を受け止めて、前壁３ａの係止爪１４の差込部１６をカバーフラップ１１の係止孔１２に差込んで蓋を係止固定し、箱組みを完成させる。
【００４４】
以上のように構成される本発明の把手付包装容器は、上記態様に限らず右側壁内面側のみにポケットを形成することもできる。また他の実施例同士を組み合わせて他の構成の包装容器を形成することもできる。その他、通気孔の形状等のその他の形状は上記態様に限らず他の形状にすることが可能であり、通気孔の数も包装容器のサイズに応じて自由に変更可能である。
【図面の簡単な説明】
【００４５】
【図１】本考案の第１実施例を示す全体斜視図である。
【図２】本考案の第１実施例の開蓋状態を示す全体斜視図である。
【図３】本考案の第１実施例を示す内面展開図である。
【図４】本考案の第１実施例の第一ポケットを形成する第一パターンを示す拡大斜視図である。
【図５】本考案の第１実施例の第一ポケットの形成状態を示す平面図である。
【図６】本考案の第１実施例の第二ポケットを形成する第二パターンを示す拡大斜視図である。
【図７】本考案の第１実施例の第二ポケットの形成状態を示す平面図である。
【図８】本考案の第２実施例を示す内面展開図である。
【符号の説明】
【００４６】
１      包装容器
２      底板
３ａ    前壁（周壁）
３ｂ    後壁（周壁）
４ａ    左側壁（周壁）
４ｂ    右側壁（周壁）
６      天板
７      把手
１１    カバーフラップ
１２    係止孔
１３    操作孔
１４    係止爪
１６    差込部
１８    第一補助フラップ（補助フラップ）
１９    差込片（固定手段）
２１    第二補助フラップ（補助フラップ）
２３ａ  係止フラップ（連結部）
２３ｂ  係止フラップ（連結部）
２７    係止孔
２８    第一ポケット（ポケット）
２９    通気孔
３１    切欠部
３３    第二ポケット（ポケット）
３４    係止孔
３６    通気孔
４２ａ  連結片（連結部）
４２ｂ  連結片（連結部）
４８    接着フラップ（固定手段）
６１    保冷材
【図１】
0003143810.tif 000003
【図２】
0003143810.tif 000004
【図３】
0003143810.tif 000005
【図４】
0003143810.tif 000006
【図５】
0003143810.tif 000007
【図６】
0003143810.tif 000008
【図７】
0003143810.tif 000009
【図８】
0003143810.tif 000010